(57)【要約】【課題】  本発明は、物品を自動包装することが出来、折込拘束部により物品の収容位置を拘束することが出来、表示片の内側に医薬品やサプリメント等使用上の注意事項等といった商品情報を印刷することが出来、開封時の破断線が予定された切断方向から逸脱することなく確実に開封出来、包装容器の自動製造工程において包装容器を展開した紙片の開封用切れ目が印刷や糊付け工程の際に紙片表面に近接するノズルに接触しても紙片を斜行させることがない包装容器を提供することを可能にすることを目的としている。【解決手段】  側壁板の一部に形成された開口部17を覆うように背面板２の一方側をヒンジ部２ａとして側壁板の周囲に巻回される表示片７と、左側面板５、右側面板６の両端部側をヒンジ部５ａ，６ａとして上蓋３ａ，３ｂと底蓋４ａ，４ｂのそれぞれの内部側に角筒状で折り込まれ、包装容器Ａ内に収容される瓶18の上面18ａ及び底面18ｂに当接して該瓶18の収容位置を拘束する折込拘束部13，14とを有することを特徴とする。【選択図】      図１
2008195426.tif 000002
【特許請求の範囲】
【請求項１】
上蓋と底蓋と複数の側壁板とを有して構成される包装容器であって、
前記側壁板の一部に形成された開口部を覆うように該側壁板の一方側をヒンジ部として該側壁板の周囲に巻回される表示片と、
前記側壁板の端部側をヒンジ部として前記上蓋または前記底蓋の少なくとも一方の内部側に角筒状で折り込まれ、包装容器内に収容される物品の上面または底面に当接して該物品の収容位置を拘束する折込拘束部と、
を有することを特徴とする包装容器。
【請求項２】
前記角筒状の折込拘束部の端部側をヒンジ部として該折込拘束部の内部に折り込まれ、該折込拘束部が角筒状に折り込まれる動作に伴って該折込拘束部の内部で立ち上がり該折込拘束部の角筒状態を補強する補強片を有することを特徴とする請求項１に記載の包装容器。
【請求項３】
前記側壁板の一部に形成された開口部の一端部に切取線を介して包装容器内に収容される物品の前記開口部からの取り出しを阻止する取出阻止片が設けられたことを特徴とする請求項１または請求項２に記載の包装容器。
【請求項４】
前記側壁板に接着される前記表示片の開放端部に包装容器を開封するための切取線と、該切取線の延長線上に設けられた摘み部とが該包装容器の同一側面上に設けられ、
前記切取線は、前記摘み部を摘んで開封する際の開封方向と直交する方向に配置された複数の直線状の開封用切れ目が前記開封方向に所定ピッチで離間され且つ隣設される該直線状の開封用切れ目の端部同士が前記開封方向において一致されたことを特徴とする請求項１〜３の何れか１項に記載の包装容器。
【請求項５】
前記摘み部が前記包装容器の同一側面上の一側端側中央部に設けられ、前記摘み部を中心に対称的に前記切取線の終端部が前記容器の同一側面上の他側端側に向かって延長されたことを特徴とする請求項４に記載の包装容器。
【発明の詳細な説明】
【技術分野】
【０００１】
本発明は、上蓋と底蓋と複数の側壁板とを有して構成される直方体形状の包装容器に関するものである。
【背景技術】
【０００２】
従来の包装容器としては、例えば、特開２０００−１５３８２７号公報（特許文献１）や特開２００２−３４７７５３号公報（特許文献２）に記載されたように、包装箱内部に被包装物である瓶の上面や底面を支える支え片や保持部を設けて重量のある瓶を支えるものが提案されている。
【０００３】
また、包装容器の開封構造としては、特開２００３−１１９６１号公報（特許文献３）や特開２００３−２３１５１８号公報（特許文献４）に記載されたように、「ヘ」の字形状或いは略Ｌ字形状の開封用切れ目を所定間隔で配置して切取線として構成したものが提案されている。
【０００４】
【特許文献１】特開２０００−１５３８２７号公報
【特許文献２】特開２００２−３４７７５３号公報
【特許文献３】特開２００３−０１１９６１号公報
【特許文献４】特開２００３−２３１５１８号公報
【発明の開示】
【発明が解決しようとする課題】
【０００５】
しかしながら、前述の特許文献１，２の技術では、上支え片や保持部が瓶の上面の略中央部を横断する片により拘束する構成であるため手作業で包装容器内に瓶を挿入した後、包装容器を封止することになり、自動包装することが出来ないという問題があった。
【０００６】
また、取り出し扉の全幅が狭く医薬品やサプリメント等使用上の注意事項等といった商品情報を取り出し扉の内側に記載するスペースが無いため、説明書を別途、容器内部に同封しなければならず、その検査工程も必要であった。
【０００７】
また、前述の特許文献３，４の技術では、摘み部を摘んで開封する際の開封方向と開封用切れ目間の連結部の予定された切断方向とのなす角度が大きい場合には開封時の破断線が予定された切断方向から逸脱してきれいに開封できなくなるという問題がある。
【０００８】
また、開封用切れ目が「ヘ」の字形状やＬ字形状で形成された場合には包装容器の自動製造工程において包装容器を展開した紙片の搬送方向に対して斜めに形成された開封用切れ目が印刷や糊付け工程の際に紙片表面に近接するノズルに引っ掛かかって紙片を斜行させ、自動製造工程の妨げとなる場合もあった。
【０００９】
本発明は前記課題を解決するものであり、その目的とするところは、物品を自動包装することが出来、折込拘束部により物品の収容位置を拘束することが出来、表示片の内側面に医薬品やサプリメント等使用上の注意事項等といった商品情報を印刷することが出来、開封時の破断線が予定された切断方向から逸脱することなく確実に開封出来、包装容器の自動製造工程において包装容器を展開した紙片の開封用切れ目が印刷や糊付け工程の際に紙片表面に近接するノズルに接触しても紙片を斜行させることがない包装容器を提供せんとするものである。
【課題を解決するための手段】
【００１０】
前記目的を達成するための本発明に係る包装容器の第１の構成は、上蓋と底蓋と複数の側壁板とを有して構成される包装容器であって、前記側壁板の一部に形成された開口部を覆うように該側壁板の一方側をヒンジ部として該側壁板の周囲に巻回される表示片と、前記側壁板の端部側をヒンジ部として前記上蓋または前記底蓋の少なくとも一方の内部側に角筒状で折り込まれ、包装容器内に収容される物品の上面または底面に当接して該物品の収容位置を拘束する折込拘束部とを有することを特徴とする。
【００１１】
また、本発明に係る包装容器の第２の構成は、前記第１の構成において、前記角筒状の折込拘束部の端部側をヒンジ部として該折込拘束部の内部に折り込まれ、該折込拘束部が角筒状に折り込まれる動作に伴って該折込拘束部の内部で立ち上がり該折込拘束部の角筒状態を補強する補強片を有することを特徴とする。
【００１２】
また、本発明に係る包装容器の第３の構成は、前記第１、第２の構成において、前記側壁板の一部に形成された開口部の一端部に切取線を介して包装容器内に収容される物品の前記開口部からの取り出しを阻止する取出阻止片が設けられたことを特徴とする。
【００１３】
また、本発明に係る包装容器の第４の構成は、前記第１〜第３の構成において、前記側壁板に接着される前記表示片の開放端部に包装容器を開封するための切取線と、該切取線の延長線上に設けられた摘み部とが該包装容器の同一側面上に設けられ、前記切取線は、前記摘み部を摘んで開封する際の開封方向と直交する方向に配置された複数の直線状の開封用切れ目が前記開封方向に所定ピッチで離間され且つ隣設される該直線状の開封用切れ目の端部同士が前記開封方向において一致されたことを特徴とする。
【００１４】
また、本発明に係る包装容器の第５の構成は、前記第４の構成において、前記摘み部が前記包装容器の同一側面上の一側端側中央部に設けられ、前記摘み部を中心に対称的に前記切取線の終端部が前記容器の同一側面上の他側端側に向かって延長されたことを特徴とする。
【発明の効果】
【００１５】
本発明に係る包装容器の第１の構成によれば、側壁板の一方側をヒンジ部として該側壁板の周囲に巻回される表示片により側壁板の一部に形成された開口部を覆うことで包装容器内に収容される物品を覆うことが出来、内側に医薬品やサプリメント等使用上の注意事項等といった商品情報を印刷した表示片を開封し、開封により開口部から露出した物品と、表示片の内側面に印刷された商品情報とを同時に視認することが出来る。
【００１６】
また、側壁板の両端部側をヒンジ部として上蓋または底蓋の少なくとも一方の内部側に角筒状で折り込まれる折込拘束部により包装容器内に収容される物品の上面または底面に当接して該物品の収容位置を拘束することが出来、折込拘束部及び上蓋、底蓋を開放した状態で複数の側壁板からなる筒状の包装容器内に瓶等の物品を投入し、折込拘束部を折り込むと共に上蓋、底蓋を閉塞接着する工程を自動包装工程で行うことが出来、人手を介さずに自動包装することが出来る。
【００１７】
本発明に係る包装容器の第２の構成によれば、折込拘束部が角筒状に折り込まれる動作に伴って該折込拘束部の内部で立ち上がる補強片により該折込拘束部の角筒状態を補強することが出来、重量のある瓶等の物品であっても補強片により補強された折込拘束部により該物品の収容位置を確実に拘束することが出来る。
【００１８】
本発明に係る包装容器の第３の構成によれば、側壁板の一部に形成された開口部の一端部に切取線を介して設けられた取出阻止片により包装容器内に収容される物品の該開口部からの取り出しを阻止することが出来、購入者が表示片の内側面に印刷された商品情報を視認してから後に該取出阻止片を切り取って物品を開口部から取り出すことを促すことが出来る。
【００１９】
本発明に係る包装容器の第４の構成によれば、包装容器を開封するための切取線と、該切取線の延長線上に設けられた摘み部とが該包装容器の同一側面上に設けられたような開封代が比較的狭い幅であっても、開封方向と直交する方向に配置された複数の直線状の開封用切れ目が開封方向に所定ピッチで離間され且つ隣設される該直線状の開封用切れ目の端部同士が開封方向において一致されたことにより開封時の破断線が予定された切断方向から逸脱することなく確実に開封出来る。これにより表示片の内側面に商品情報を印刷するスペースをより広く確保することが出来る。
【００２０】
また、複数の直線状の開封用切れ目が包装容器の辺と平行に配置されるため、包装容器の自動製造工程において包装容器を展開した紙片の複数の直線状の開封用切れ目が印刷や糊付け工程の際に紙片表面に近接するノズルに接触しても紙片を斜行させることがなく、自動製造工程に支障がない。
【００２１】
本発明に係る包装容器の第５の構成によれば、摘み部が包装容器の同一側面上の一側端側中央部に設けられ、該摘み部を中心に対称的に切取線の終端部が該包装容器の同一側面上の他側端側に向かって延長されたことで、包装容器を開封するための切取線と、該切取線の延長線上に設けられた摘み部とが包装容器の同一側面上に設けられたような開封代が比較的狭い幅であっても、開封代が比較的狭いスペースを有効利用して摘み部と切取線とを配置することが出来る。
【発明を実施するための最良の形態】
【００２２】
図により本発明に係る包装容器の一実施形態を具体的に説明する。図１は本発明に係る包装容器を示す斜視説明図及び側面説明図、図２は本発明に係る包装容器の展開図、図３〜図６は本発明に係る包装容器の組立図、図７は包装容器を開封する様子を示す図である。
【００２３】
図１〜図７において、包装容器Ａは２枚の上蓋３ａ，３ｂと、２枚の底蓋４ａ，４ｂと、複数の側壁板となる正面板１、背面板２、左側面板５及び右側面板６を有して構成される直方体形状の包装容器であり、側壁板の一部となる正面板１と、該正面板１に隣接する左側面板５及び右側面板６に亘ってその中央部に開口部17が形成されている。
【００２４】
側壁板となる背面板２の一方側にはヒンジ部２ａを介して、同側壁板となる左側面板５、正面板１、右側面板６の周囲に順に巻回され、開口部17を覆う表示片７が設けられている。表示片７の内側面及び右側面板６の表側面には医薬品やサプリメント等使用上の注意事項等といった商品情報Ｘが記載されている。
【００２５】
側壁板となる左側面板５及び右側面板６の両端部側にはヒンジ部５ａ，６ａを介してそれぞれ折込拘束部13，14が設けられている。折込拘束部13，14は、図３に示すように、折曲線13ａ，13ｂ，13ｃ，14ａ，14ｂ，14ｃを折り曲げて固定片13ｄ，14ｄが左側面板５、右側面板６にそれぞれ接着されて固定され、図１に示すように、上蓋３ａ，３ｂと底蓋４ａ，４ｂのそれぞれの内部側に角筒状で折り込まれ、包装容器Ａ内に収容される物品となる瓶18の上面18ａ及び底面18ｂに当接して該瓶18の収容位置を拘束する。
【００２６】
図２及び図３に示すように、右側面板６の両端部側にヒンジ部６ａを介して接続された角筒状の折込拘束部14の第２片14ｅの端部側にはヒンジ部14e1を介して補強片14ｆが接続されており、該補強片14ｆは図３に示すように折込拘束部14の内部に折り込まれ、該折込拘束部14が角筒状に折り込まれる動作に伴って図１に示すように該折込拘束部14の内部で斜めに立ち上がり該折込拘束部14の角筒状態を補強する。
【００２７】
側壁板となる正面板１の一部に形成された開口部17の一端部には間欠的に切断された切取線１ａを介して取出阻止片１ｂが切り取り可能に接続されており、図７に示すように、包装容器Ａ内に収容される物品となる瓶18の上部を覆うことで開口部17からの取り出しを阻止しており、切取線１ａを介して取出阻止片１ｂを切り取ることで瓶18を開口部17がら取り出すことが出来る。
【００２８】
図５及び図６に示すように、左側面板５、正面板１及び右側面板６の外周には表示片７が重なった状態となっており、側壁板となる右側面板６に重ねて接着される表示片７の開放端部に設けられた固定片８には包装容器Ａを開封するために間欠的に切断された切取線９と、該切取線９の延長線上に設けられた摘み部10とが包装容器Ａの同一側面上となる固定片８上に設けられている。
【００２９】
固定片８は組立ての際に左側面板５に接着されるが、接着固定されるのは切取線９よりも外側の両端部８ｄであって、切取線９の内側が切り離されると先端が摘み部10となる。
【００３０】
固定片８上に設けられた切取線９は、摘み部10を摘んで開封する際の開封方向ａ（図２の左右方向）と直交する方向（図２の上下方向）に配置された複数の直線状の開封用切れ目９ａが開封方向ａ（図２の左右方向）に所定ピッチＰで離間され且つ隣設される該直線状の開封用切れ目９ａの端部9a1，9a2同士が開封方向ａにおいて一致された位置に配置されている（図６（ｂ）参照）。
【００３１】
これにより、開封時の破断線が開封用切れ目９ａの端部9a2から開封方向ａに連結部８ｃを介して隣設された開封用切れ目９ａの端部9a1に逸脱することなく確実に到達することが出来、予定された切断方向から開封出来る。
【００３２】
ここで、隣設される直線状の開封用切れ目９ａ相互が開封方向ａ（図２の左右方向）に離間されるピッチＰは１．３５mm〜１．８mm程度が好ましい。
【００３３】
本実施形態では、摘み部10が包装容器Ａの同一側面上となる固定片８上の一側端となる辺８ａ側の中央部に設けられ、摘み部10を中心に対称的に切取線９の終端部９ｅが包装容器Ａの同一側面上となる固定片８上の他側端となるヒンジ部を兼ねる辺８ｂ側に向かって延長されている。
【００３４】
図２及び図３に示すように、左側面板５及び右側面板６には、背面板２の内側面に接着するための接着片５ｂ，６ｂが設けられており、折曲線５ｃ，５ｄ，５ｅを介して断面Ｌ字形状に折り曲げられる第１片５ｆ、第２片５ｇにより包装容器Ａ内に収容される物品となる瓶18の側面に当接して該瓶18の収容位置を補強片14ｆが設けられた折込拘束部14側に寄せて拘束する（図１及び図７参照）。
【００３５】
図４に示すように、右側面板６に設けられた接着片６ｂを背面板２に接着して包装容器Ａを角筒状に組む。この状態では、表示片７及び固定片８がフリーとなるが、ヒンジ部２ａ、折曲線７ａ，７ｂを折り曲げて表示片７を右側面板６、正面板１、左側面板５の順に巻回して重ね、更に固定片８の両端部８ｄを左側面板５に接着固定する（図５参照）。
【００３６】
そして、図５に示すように、上蓋３ａ，３ｂ、底蓋４ａ，４ｂ、折込拘束部13，14を開放して包装容器Ａを角筒状とした状態で、一方の開口側から物品となる瓶18を挿入した後、折込拘束部13，14を包装容器Ａ内に折り込んで瓶18の上面18ａ及び底面18ｂに当接させ、図６（ａ）に示すように、上蓋３ａ，３ｂ及び底蓋４ａ，４ｂを上から被せるように接着固定して、包装容器Ａの組立てを完了する。この組立工程は自動包装工程で実施することが出来る。
【００３７】
包装容器Ａを開封する場合には、図７に示すように、右側面板６に重なって接着された固定片８の摘み部10を摘んで開封方向ａに引っ張ると、開封方向ａにおいて端部9a1，9a2同士が一致する位置に配置された隣設する直線状の開封用切れ目９ａ相互間の開封方向ａの連結部８ｃが該開封方向ａに切断されて切取線９に沿って切断することが出来る。
【００３８】
切断された固定片８の両端部８ｄは右側面板６に接着されたまま残り、摘み部10を含む中央部分が開放されて自由になり、表示片７は背面板２との接続線をヒンジ部２ａとして、開閉することができる。表示片７の内側面及び右側面板６の表側面には医薬品やサプリメント等使用上の注意事項等といった商品情報Ｘが記載されている。
【００３９】
表示片７を開いた後、正面板１に切取線１ａを介して接続された取出阻止片１ｂを切り取って開口部17から瓶18を取り出すことが出来る。尚、上蓋３ａ，３ｂ及び底蓋４ａ，４ｂは接着されており、ここから開封することはできない。
【００４０】
上記構成によれば、側壁板となる背面板２の一方側をヒンジ部２ａとして該側壁板となる右側面板６、正面板１及び左側面板５の周囲に巻回される表示片７により側壁板の一部に形成された開口部17を覆うことで包装容器Ａ内に収容される物品となる瓶18を覆うことが出来、内側に医薬品やサプリメント等使用上の注意事項等といった商品情報Ｘを印刷した表示片７を開封し、開封により開口部17から露出した瓶18と、表示片７の内側に印刷された商品情報Xとを同時に視認することが出来る。
【００４１】
また、側壁板となる左側面板５、右側面板６の両端部側をヒンジ部５ａ，６ａとして上蓋３ａ，３ｂと底蓋４ａ，４ｂのそれぞれの内部側に角筒状で折り込まれる折込拘束部13，14により包装容器Ａ内に収容される瓶18の上面18ａ及び底面18ｂに当接して該瓶18の収容位置を拘束することが出来、折込拘束部13，14及び上蓋３ａ，３ｂ、底蓋４ａ，４ｂを開放した状態で複数の側壁板からなる角筒状の包装容器Ａ内に瓶18を投入し、折込拘束部13，14を折り込むと共に上蓋３ａ，３ｂ、底蓋４ａ，４ｂを閉塞接着する工程を自動包装工程で行うことが出来、人手を介さずに自動包装することが出来る。
【００４２】
また、折込拘束部13，14が角筒状に折り込まれる動作に伴って該折込拘束部13，14の内部で立ち上がる補強片14ｆにより該折込拘束部13，14の角筒状態を補強することが出来、重量のある瓶18であっても補強片14ｆにより補強された折込拘束部13，14により該瓶18の上下方向の収容位置を確実に拘束することが出来る。
【００４３】
また、側壁板となる正面板１の一部に形成された開口部17の一端部に切取線１ａを介して設けられた取出阻止片１ｂにより包装容器Ａ内に収容される瓶18の該開口部17からの取り出しを阻止することが出来、購入者が表示片７の内側面に印刷された商品情報Ｘを視認してから後に該取出阻止片１ｂを切り取って瓶18を開口部17から取り出すことを促すことが出来る。
【００４４】
また、包装容器Ａを開封するための切取線１ａと、該切取線１ａの延長線上に設けられた摘み部10とが該包装容器Ａの同一側面上に設けられたような開封代が比較的狭い幅であっても、開封方向ａと直交する方向に配置された複数の直線状の開封用切れ目９ａが開封方向ａに所定ピッチＰで離間され且つ隣設される該直線状の開封用切れ目９ａの端部9a1，9a2同士が開封方向ａにおいて一致されたことにより開封時の破断線が予定された切断方向から逸脱することなく確実に開封出来る。これにより表示片７の内側に商品情報Ｘを印刷するスペースをより広く確保することが出来る。
【００４５】
また、複数の直線状の開封用切れ目９ａが包装容器Ａの辺８ａ，８ｂと平行に配置されるため、包装容器Ａの自動製造工程において包装容器Ａを展開した紙片の複数の直線状の開封用切れ目９ａが印刷や糊付け工程の際に紙片表面に近接するノズルに接触しても紙片を斜行させることがなく、自動製造工程に支障がない。
【００４６】
また、摘み部10が包装容器Ａの同一側面上の一側端側中央部に設けられ、該摘み部10を中心に対称的に切取線９の終端部９ｅが該包装容器Ａの同一側面上の他側端側に向かって延長されたことで、包装容器Ａを開封するための切取線９と、該切取線９の延長線上に設けられた摘み部10とが包装容器Ａの同一側面上に設けられたような開封代が比較的狭い幅であっても、開封代が比較的狭いスペースを有効利用して摘み部10と切取線９とを配置することが出来る。
【００４７】
尚、前記実施形態では、包装容器Ａが直方体形状である場合の一例について説明したが、包装容器Ａの形状は断面三角形状、断面四角形状、断面五角形状、断面六角形状等、種々の多角形状が適用出来、それらの形状に対応して折込拘束部13，14の外形状を種々の多角形の角筒状で折り込まれる構成とすることが出来る。また、折込拘束部13，14は上蓋３ａ，３ｂ側、底蓋４ａ，４ｂ側の何れか一方に設けることでも良い。
【産業上の利用可能性】
【００４８】
本発明の活用例として、上蓋と底蓋と複数の側壁板とを有して構成される包装容器に適用することが出来る。
【図面の簡単な説明】
【００４９】
【図１】本発明に係る包装容器を示す斜視説明図及び側面説明図である。
【図２】本発明に係る包装容器の展開図である。
【図３】本発明に係る包装容器の組立図である。
【図４】本発明に係る包装容器の組立図である。
【図５】本発明に係る包装容器の組立図である。
【図６】本発明に係る包装容器の組立図である。
【図７】包装容器を開封する様子を示す図である。
【符号の説明】
【００５０】
Ａ…包装容器
Ｐ…ピッチ
Ｘ…商品情報
１…正面板
１ａ…切取線
１ｂ…取出阻止片
２…背面板
２ａ…ヒンジ部
３ａ，３ｂ…上蓋
４ａ，４ｂ…底蓋
５…左側面板
５ａ…ヒンジ部
５ｂ…接着片
５ｃ〜５ｅ…折曲線
５ｆ…第１片
５ｇ…第２片
６…右側面板
６ａ…ヒンジ部
６ｂ…接着片
７…表示片
８…固定片
８ａ，８ｂ…辺
８ｃ…連結部
８ｄ…両端部
９…切取線
９ａ…開封用切れ目
9a1，9a2…端部
９ｅ…終端部
10…摘み部
13，14…折込拘束部
13ａ〜13ｃ，14ａ〜14ｃ…折曲線
13ｄ，14ｄ…固定片
14ｅ…第２片
14e1…ヒンジ部
14ｆ…補強片
17…開口部
18…瓶
18ａ…上面
18ｂ…底面
【図１】
2008195426.tif 000003
【図２】
2008195426.tif 000004
【図３】
2008195426.tif 000005
【図４】
2008195426.tif 000006
【図５】
2008195426.tif 000007
【図６】
2008195426.tif 000008
【図７】
2008195426.tif 000009